(57)【要約】【課題】取付面への表示板の取付け・取外し作業を容易に行うことができる表示板の取付装置を提供すること。【解決手段】本発明の表示板の取付装置は、表示板５０の上端部５１，５２を保持する上部固定部材１０Ａ，１０Ｂと、表示板５０の下端部５３，５４を保持する下部固定部材４０Ａ，４０Ｂとを備え、上部固定部材１０Ａ，１０Ｂが、表示板５０の上端部５１，５２と嵌合する溝部１３を有し、且つ、この溝部１３を介して表示板５０の上端部５１，５２を嵌合保持する保持位置と、溝部１３から表示板５０の上端部５１，５２を抜去させることにより溝部１３と上端部５１，５２の嵌合状態を解除する非保持位置との間をスライドするように、取付面６０に移動可能に配設される。【選択図】        図１
2009080322.tif 000002
【特許請求の範囲】
【請求項１】
表示板の上端部を保持する上部固定部材と、前記表示板の下端部を保持する下部固定部材とを備え、前記上部固定部材及び下部固定部材を介して前記表示板を取付面に取付ける装置であって、
前記上部固定部材は、
前記表示板の上端部と嵌合する溝部を有し、且つ、前記溝部を介して前記表示板の上端部を嵌合保持する保持位置と、前記溝部から前記表示板の上端部を抜去させることにより前記溝部と前記上端部の嵌合状態を解除する非保持位置との間をスライドするように、取付面に移動可能に配設したものであることを特徴とする表示板の取付装置。
【請求項２】
前記上部固定部材に長孔を穿設するとともに、この長孔を介して取付ねじを取付面に固着し、前記上部固定部材を、取付面に対して前記長孔の延在方向にスライドさせることによって前記保持位置と前記非保持位置との間を移動させるように構成したことを特徴とする請求項１に記載の表示板の取付装置。
【請求項３】
前記上部固定部材における長孔を、前記上部固定部材の溝部に前記表示板の上端部を嵌合させた場合に前記上端部によって覆われる位置に穿設したことを特徴とする請求項２に記載の表示板の取付装置。
【請求項４】
前記上部固定部材の長孔を覆う蓋体を備えたことを特徴とする請求項２又は３に記載の表示板の取付装置。
【請求項５】
前記取付ねじの頭と取付面との間に管座を介在させ、前記上部固定部材を取付面に取付けたことを特徴とする請求項２から４のいずれか一つに記載の表示板の取付装置。
【請求項６】
前記表示板が矩形状を成すものであって、
前記上部固定部材を前記表示板の上端部における角部に配設したことを特徴とする請求項１から５のいずれか一つに記載の表示板の取付装置。
【請求項７】
前記表示板が矩形状を成すものであって、
前記上部固定部材を前記表示板の上端部における角部に配設し、
さらに前記上部固定部材は、前記表示板の上端部における角部の上辺と側辺に嵌合する溝部を有し、
前記長孔の延在方向を、前記上辺から離れるにしたがって前記側辺から離れるように傾斜させたことを特徴とする請求項２から５のいずれか一つに記載の表示板の取付装置。
【請求項８】
前記上部固定部材を弾性体で構成し、前記上部固定部材の溝部に前記表示板の上端部を嵌合させた場合に前記溝部に前記上端部を密着させるようにしたことを特徴とする請求項１から７のいずれか一つに記載の表示板の取付装置。
【発明の詳細な説明】
【技術分野】
【０００１】
本発明は、表示板を壁面に取付ける装置に関するものである。
【背景技術】
【０００２】
掲示内容が印刷されたパネル状の表示板を壁面等の取付面に取付ける場合、取付面に対して表示板自体を接着や鋲着といった直接的な方法で固定することがある。しかしながら、こうした取付方法においては、表示板を別のものに交換したい場合に、接着あるいは鋲着された表示板を取り外し、その後に新しい表示板を接着あるいは鋲着する必要があり、作業性が悪いという問題を有していた。
【０００３】
これに対して、取付面に固着された固定部材を介して、表示板を取付面に対して着脱可能に取付ける表示板の取付装置が知られている（例えば、特許文献１を参照）。
【０００４】
【特許文献１】特開２０００−２６７５７４号公報
【発明の開示】
【発明が解決しようとする課題】
【０００５】
しかしながら、特許文献１に記載された取付装置においては、取付面に固着された固定部材に対して表示板をビス止めする必要がある。このため、表示板を交換する際には、ビスを外して固定部材から表示板を取り外し、新しい表示板を固定部材にビス止めするといった手間が掛かり、作業性が向上したとはいえない。
【０００６】
本発明は、上記実情に鑑みて、取付面への表示板の取付け・取外し作業を容易に行うことができる表示板の取付装置を提供することを目的とする。
【課題を解決するための手段】
【０００７】
上記の目的を達成するために、本発明の請求項１に係る表示板の取付装置は、表示板の上端部を保持する上部固定部材と、前記表示板の下端部を保持する下部固定部材とを備え、前記上部固定部材及び下部固定部材を介して前記表示板を取付面に取付ける装置であって、前記上部固定部材は、前記表示板の上端部と嵌合する溝部を有し、且つ、前記溝部を介して前記表示板の上端部を嵌合保持する保持位置と、前記溝部から前記表示板の上端部を抜去させることにより前記溝部と前記上端部の嵌合状態を解除する非保持位置との間をスライドするように、取付面に移動可能に配設したものであることを特徴とする。
【０００８】
また、本発明の請求項２に係る表示板の取付装置は、上記請求項１において、前記上部固定部材に長孔を穿設するとともに、この長孔を介して取付ねじを取付面に固着し、前記上部固定部材を、取付面に対して前記長孔の延在方向にスライドさせることによって前記保持位置と前記非保持位置との間を移動させるように構成したことを特徴とする。
【０００９】
また、本発明の請求項３に係る表示板の取付装置は、上記請求項２において、前記上部固定部材における長孔を、前記上部固定部材の溝部に前記表示板の上端部を嵌合させた場合に前記上端部によって覆われる位置に穿設したことを特徴とする。
【００１０】
また、本発明の請求項４に係る表示板の取付装置は、上記請求項２又は３において、前記上部固定部材の長孔を覆う蓋体を備えたことを特徴とする。
【００１１】
また、本発明の請求項５に係る表示板の取付装置は、上記請求項２から４のいずれか一つにおいて、前記取付ねじの頭と取付面との間に管座を介在させ、前記上部固定部材を取付面に取付けたことを特徴とする。
【００１２】
また、本発明の請求項６に係る表示板の取付装置は、上記請求項１から５のいずれか一つにおいて、前記表示板が矩形状を成すものであって、前記上部固定部材を前記表示板の上端部における角部に配設したことを特徴とする。
【００１３】
また、本発明の請求項７に係る表示板の取付装置は、上記請求項２から５のいずれか一つにおいて、前記表示板が矩形状を成すものであって、前記上部固定部材を前記表示板の上端部における角部に配設し、さらに前記上部固定部材は、前記表示板の上端部における角部の上辺と側辺に嵌合する溝部を有し、前記長孔の延在方向を、前記上辺から離れるにしたがって前記側辺から離れるように傾斜させたことを特徴とする。
【００１４】
また、本発明の請求項８に係る表示板の取付装置は、上記請求項１から７のいずれか一つにおいて、前記上部固定部材を弾性体で構成し、前記上部固定部材の溝部に前記表示板の上端部を嵌合させた場合に前記溝部に前記上端部を密着させるようにしたことを特徴とする。
【発明の効果】
【００１５】
本発明の表示板の取付装置によれば、上部固定部材を取付面に対して移動可能に配設し、溝部を介して表示板の上端部を嵌合保持する保持位置と、溝部から表示板の上端部を抜去させることにより溝部と上端部の嵌合状態を解除する非保持位置との間をスライドさせることで、表示板の交換作業を行う際に表示板を固定部材にビス止めするといった面倒な作業を行う必要がなく、簡易な操作で容易に取付け・取外し作業を行うことができる。
【発明を実施するための最良の形態】
【００１６】
以下に添付図面を参照して、本発明に係る表示板の取付装置の好適な実施の形態を詳細に説明する。
【００１７】
図１は、本実施の形態である表示板の取付装置（以下、省略して「取付装置」という）を適用して表示板５０を壁面等の取付面６０に取り付けた状態を正面から見た図である。ここで例示する取付装置は、表示板５０における左上の角部５１と右上の角部５２をそれぞれ保持する一対の上部固定部材１０Ａ，１０Ｂと、表示板５０における左下の角部５３と右下の角部５４をそれぞれ保持する一対の下部固定部材４０Ａ，４０Ｂとを備えて構成したものである。また、表示板５０は、案内等の掲示内容が印刷された所定の厚みを有する矩形状のパネルである。
【００１８】
図２は、図１において表示板５０における左上の角部５１を保持する上部固定部材１０Ａの分解斜視図である。また、図３−１は上部固定部材１０Ａを構成する固定部材本体１１の正面図、図３−２は図３−１の側面図である。また、図４−１は上部固定部材１０Ａを取付面６０に取付けた状態を示す正面図、図４−２は図４−１のＡ−Ａ断面図である。なお、図４−１では、後述する蓋体３５の図示を省略している。図２に示すように、この上部固定部材１０Ａ及び１０Ｂは、固定部材本体１１、取付ねじ３１、ワッシャー３２，３４、管座３３及び蓋体３５とを備えて構成したものである。なお、上部固定部材１０Ｂは、上部固定部材１０Ａと左右対称に構成したものである。従って、以下の説明では、上部固定部材１０Ａについてのみ説明する。
【００１９】
固定部材本体１１は、図２、図３−１及び図３−２に示すように、取付部１２、溝部１３及びフレーム部１４からなる。
【００２０】
取付部１２は、所定の厚みを有する正面視矩形状の板状部材であり、取付ねじ３１を介して取付面６０に取付けられる部分である。本実施の形態では、この取付部１２を正面視正方形としている。この取付部１２には、図３−１に示すように長孔１５が穿設してある。この長孔１５は、図１に示すように固定部材本体１１によって表示板５０の角部５１を保持した場合に、角部５１を構成する上辺５０ａと側辺５０ｂに対して傾斜する方向、より詳細には、上辺５０ａから離れるにしたがって側辺５０ｂから離れるように傾斜する方向に延在させてある。なお、以下の説明では、表示板５０の角部５１を構成する上辺５０ａを含む近傍を「上縁部５１ａ」、側辺５０ｂを含む近傍を「側縁部５１ｂ」という。図１に示すように、この長孔１５は、固定部材本体１１の溝部１３に表示板５０の上縁部５１ａと側縁部５１ｂを嵌合させた場合に、表示板５０の角部５１によって覆われる位置に穿設してある。
【００２１】
長孔１５は、取付部１２の前面に開口する上段長孔部１５ａと、この上段長孔部１５ａの下段に位置する中段長孔部１５ｂと、この中段長孔部１５ｂの下段に位置し、取付部１２の後面に開口する下段長孔部１５ｃとからなる段付き孔である。図３−１及び図３−２に示すように、上段長孔部１５ａの幅方向及び長手方向の寸法は、中段長孔部１５ｂの幅方向及び長手方向の寸法よりも大きく形成してあり、中段長孔部１５ｂの幅方向及び長手方向の寸法は、下段長孔部１５ｃの幅方向及び長手方向の寸法よりも大きく形成してある。
【００２２】
下段長孔部部１５ｃは、取付ねじ３１を挿通させるための孔である。図４−２に示すように、管座３３を介して下段長孔部１５ｃに挿通させた取付ねじ３１を取付面６０に固着することにより、この管座３３に沿って下段長孔部１５ｃを取付面６０に対してスライドさせることができるようになっている。図３−１に示すように、この下段長孔部１５ｃは、第１端部１６、第２端部１７とスライド部１８とから構成され、第１，第２端部１６，１７の幅方向長さを管座３３の外径とほぼ同じ大きさに形成する一方、スライド部１８の幅方向長さを管座３３の外径よりもわずかに小さく形成してある。上記構成とすることにより、管座３３が第１端部１６又は第２端部１７に収まっている場合に、固定部材本体１１を動かそうとする外力が加えられない限り、固定部材本体１１がスライドすることがないように構成してある。
【００２３】
中段長孔部１５ｂは、下段長孔部１５ｃに挿通された取付ねじ３１の頭３１ａの移動領域となる空間を構成する部分である。また、上段長孔部１５ａは、後述する蓋体３５を嵌め込むための孔であり、蓋体３５の寸法と同程度の大きさに形成してある。
【００２４】
溝部１３は、図３−２に示すように、取付部１２における上段長孔部１５ａが形成された面にフレーム部１４を設けることによって、取付部１２とフレーム部１４との間に設けた凹部である。この溝部１３は、表示板５０の上縁部５１ａと側縁部５１ｂを嵌合保持させるための溝であり、図３−１に示すように、表示板５０の上縁部５１ａと嵌合する上縁嵌合溝１３ａと、この上縁嵌合溝１３ａと直交し、側縁部５１ｂと嵌合する側縁嵌合溝１３ｂとからなるＬ字形状を成すものである。本実施の形態では、この上縁嵌合溝１３ａの水平方向長さと側縁嵌合溝１３ｂの鉛直方向長さを同じ長さに形成してある。
【００２５】
フレーム部１４は、図３−２に示すように、取付部１２における上段長孔部１５ａが形成された面の端部を、取付部１２に対して垂直に延在させた後、直角に屈曲させた部分である。このフレーム部１４は、上縁嵌合溝１３ａ及び側縁嵌合溝１３ｂに表示板５０の上縁部５１ａ及び側縁部５１ｂをそれぞれ嵌合させた場合に、上縁部５１ａ及び側縁部５１ｂのフレームとなる部分である。
【００２６】
上記構成を有する固定部材本体１１は、ゴム等の樹脂材料や金属材料あるいは木製材料から構成され、取付部１２、溝部１３、フレーム部１４とを一体に形成してある。なお、本実施の形態では、取付部材本体１１の材料として、ＥＰＤＭ（エチレンプロピレンディアモノマー：硬度６０度）等の弾性体を適用している。取付部材本体１１の材質として弾性体を適用することで、溝部１３に表示板５０の上縁部５１ａ及び側縁部５１ｂを嵌合させた場合に、溝部１３に対して上縁部５１ａ及び側縁部５１ｂを密着させることができる。
【００２７】
取付ねじ３１は、上述したように、固定部材本体１１の下段長孔部１５ｃを介して取付面６０に固着され、固定部材本体１１を取付面６０に支持させるものであり、頭３１ａと軸部３１ｂとからなる。管座３３は、下段長孔部１５ｃの穿設深さよりもわずかに大きい高さ寸法と、取付ねじ３１の軸部３１ｂよりも大きい内径を有する筒状の丸管である。図４−２に示すように、取付ねじ３１は、この管座３３を介して下段長孔部１５ｃに挿通されるとともに、頭３１ａと下段長孔部１５ｃの間及び下段長孔部１５ｃと取付面６０の間にワッシャー３２，３４を介在させた状態で取付面に螺挿されることにより、取付面６０に固着される。
【００２８】
蓋体３５は、上段長孔部１５ａの寸法と同程度の大きさに形成した板材であり、図４−２に示すように、上段長孔部１５ａに嵌合することによって長孔１５を塞ぐものである。この蓋体３５は不透明な材質によって構成してある。従って、例えばガラス板等の透明な材質からなる表示板を取付ける場合であっても、この蓋体３５を上段長孔部１５ａに嵌合させておけば、下段長孔部１５ｃ及び取付ねじ３１が外部から見えることはない。
【００２９】
図５−１及び図５−２は、上部固定部材１０Ａに表示板５０の角部５１を保持させる状態を説明するための平面図であり、図６−１及び図６−２は、図５−１及び図５−２の断面図である。なお、図５−１及び図５−２では蓋体３５の図示を省略している。図５−１及び図６−１に示すように、固定部材本体１１の上縁嵌合溝１３ａが表示板５０の上縁部５１ａを嵌合保持し、側縁嵌合溝１３ｂが側縁部５１ｂを嵌合保持した状態における固定部材本体１１の位置を「保持位置」とする。固定部材本体１１が保持位置にある場合、取付面６０に固着された取付ねじ３１は、下段長孔部１５ｃの第１端部１６に収まっている。この保持位置から、取付面６０に固着された取付ねじ３１の周りの管座３３に沿って下段長孔部１５ｃをスライドさせ、取付ねじ３１を下段長孔部１５ｃの第２端部１７に配置させると、図５−２及び図６−２に示すように、上縁嵌合溝１３ａ及び側縁嵌合溝１３ｂから表示板５０の上縁部５１ａ及び側縁部５１ｂがそれぞれ抜去され、溝部１３と上縁部５１ａ及び側縁部５１ｂの嵌合状態が解除される。このときの固定部材本体１１の位置を「非保持位置」とする。
【００３０】
図５−１に示すように、固定部材本体１１を保持位置から非保持位置までスライドさせたときの水平方向への移動量をａｘ、鉛直方向への移動量をａｙとし、側縁嵌合溝１３ｂの溝幅をｂｘ、上縁嵌合溝１３ａの溝幅をｂｙとすると、ａｘがｂｘよりも大きく、且つ、ａｙがｂｙよりも大きい場合に、溝部１３から上縁部５１ａ及び側縁部５１ｂを抜去させることができる。従って、下段長孔部１５ｃの寸法は、ｂｘ＜ａｘ及びｂｙ＜ａｙという条件を満たす必要がある。
【００３１】
図７−１は、図１において表示板５０の左下の角部を保持する下部固定部材４０Ａを構成する固定部材本体４１の正面図、図７−２は図７−１の側面図である。また、図８−１は、下部固定部材４０Ａを取付面６０に取付けた状態を示す正面図、図８−２は図８−１のＢ−Ｂ断面図である。図８−１では蓋体３５の図示を省略している。なお、下部固定部材４０Ｂは、下部固定部材４０Ａと左右対称に構成したものである。従って、以下の説明では、下部固定部材４０Ａについてのみ説明する。
【００３２】
下部固定部材４０Ａは、上述した上部固定部材１０Ａと同様に、固定部材本体４１、取付ねじ３１、ワッシャー３２，３４、管座３３及び蓋体３５とを備えて構成したものである。固定部材本体４１は、図７−１に示すように、取付部４２、溝部４３及びフレーム部４４を備えて構成してある。この下部固定部材４０Ａは、固定部材本体４１に形成した長孔４５の形状以外は、上述した上部固定部材１０Ａと同一の構成を有している。
【００３３】
固定部材本体４１の取付部４２に穿設された長孔４５は、取付部４２の前面に開口する上段長孔部４５ａと、この上段長孔部４５ｂの下段に位置する中段長孔部４５ｂと、この中段長孔部４５ｂの下段に位置し取付部４２の後面に開口する下段孔４５ｃとからなる段付き孔であるが、下段孔４５ｃは長孔ではなく円形の孔としている。この下段孔４５ｃの径は、管座３３の外径よりもわずかに大きく形成してある。すなわち、上述した固定部材１０Ａが取付面６０に対してスライド可能に配設されるのに対し、下部固定部材４０Ａは取付面６０に対して移動不能に固定される。図８−２に示すように、固定部材本体４１は、管座３３を介して取付ねじ３１を下段孔４５ｃに挿通し、取付ねじの頭３１ａと下段孔４５ｃの間、及び、下段孔４５ｃと取付面６０の間にワッシャー３２，３４を介在させた状態で、取付ねじ３１を取付面６０に固着することによって、取付面６０に対して固定される。
【００３４】
この下部固定部材４０Ａは、図１に示すように、固定部材本体４１の下縁嵌合溝４３ａによって表示板５０の下縁部５３ａを嵌合保持し、側縁嵌合溝４３ｂによって側縁部５３ｂを嵌合保持する。
【００３５】
なお、本実施の形態では、上述した上部固定部材１０Ａの上縁嵌合溝と側縁嵌合溝、及び下部固定部材４０Ａの下縁嵌合溝及び側縁嵌合溝を同じ長さに形成してある。従って、上部固定部材１０Ａを上部固定部材１０Ｂと兼用し、下部固定部材４０Ａを下部固定部材４０Ｂと兼用している。
【００３６】
上記構成を有する上部固定部材１０Ａ，１０Ｂ及び下部固定部材４０Ａ，４０Ｂを適用して、表示板５０の交換作業を行う手順について説明する。まず、図１に示すように、上部固定部材１０Ａ，１０Ｂ及び下部固定部材４０Ａ，４０Ｂによって取付面６０に取付けられた表示板５０を取り外すには、保持位置に配置された上部固定部材１０Ａ，１０Ｂをそれぞれ斜め上外方にスライドさせ、非保持位置まで移動させればよい。これにより、角部５１の上縁部５１ａ及び側縁部５１ｂが上部固定部材１０Ａの溝部１３から外れるとともに、角部５２の上縁部５２ａ及び側縁部５２ｂが上部固定部材１０Ｂの溝部１３から外れる。
【００３７】
上部固定部材１０Ａ，１０Ｂと表示板５０の角部５１，５２の嵌合を解除した後、図９に示すように、表示板５０の上部をわずかに前傾させた状態で表示板５０を引き上げ、下部固定部材４０Ａ，４０Ｂの溝部４３から表示板５０の角部５３、５４を抜去することにより、表示板５０を取付面６０から取り外すことができる。
【００３８】
また、新しく表示板５０を取付ける場合には、上部固定部材１０Ａ，１０Ｂを非保持位置に配置しておき、取り付ける表示板５０の上部をわずかに前傾させて、まず下端部の角部５３，５４における各下縁部及び側縁部を下部固定部材４０Ａ，４０Ｂの溝部４３にそれぞれ嵌合保持させる。この後、上部固定部材１０Ａ，１０Ｂを非保持位置から保持位置にスライドさせ、表示板５０上端の角部５１，５２における各上縁部及び側縁部を上部固定部材１０Ａ，１０Ｂの各溝部１３に嵌め込むことにより、表示板５０を取付面６０に取付けることができる。
【００３９】
以上説明したように、本実施の形態の取付装置によれば、上部固定部材１０Ａ，１０Ｂを取付面６０に移動可能に配設し、溝部１３を介して表示板５０の角部５１，５２を嵌合保持する保持位置と、溝部１３から表示板５０の角部５１，５２を抜去させることにより溝部１３と角部５１,５２の嵌合状態を解除する非保持位置との間をスライドさせることで、表示板の取付け・取外し作業を行う際に表示板を固定部材にビス止めするといった面倒な作業を行う必要がなく、簡易な操作で容易に取付け・取外し作業を行うことができる。しかも、表示板を取付面に直接接着あるいは鋲着する場合と比べて、表示板を体裁良い状態で掲示することができる。
【００４０】
また、本実施の形態の取付装置によれば、上部固定部材１０Ａ，１０Ｂに長孔１５を穿設するとともに、この長孔１５を介して取付ねじ３１を取付面６０に固着し、上部固定部材１０Ａ，１０Ｂを、取付面６０に対して長孔１５の延在方向にスライドさせることによって保持位置と非保持位置との間を移動させるようにしたので、簡単な構成で、確実に上部固定部材１０Ａ，１０Ｂを取付面６０に取付けることができるとともに、取付面６０に対して容易にスライドさせることができる。
【００４１】
また、本実施の形態の取付装置によれば、上部固定部材１０Ａ，１０Ｂにおける下段長孔部１５ｃを、溝部１３に表示板５０の角部５１，５２を嵌合させた場合に当該角部によって覆われる位置に穿設したことで、表示板５０を取付面６０に取付けた場合に、下段長孔部１５ｃ及び取付ねじ３１が表示板５０により隠されるため、表示板の取付構造は一見しただけでは分からない。その結果、悪戯によって表示板が取り外されるといった事態を防止することができる。
【００４２】
また、本実施の形態の取付装置によれば、上部固定部材１０Ａ，１０Ｂの長孔１５を覆う蓋体３５を備えたことで、例えば、ガラス板等の透明な材質で構成した表示板を取付ける場合であっても、この蓋体３５によって下段長孔部１５ｃ及び取付ねじ３１が隠されるため、表示板の取付構造が外部から見えることはない。従って、悪戯によって表示板が取り外されるといった事態を防止することができる。
【００４３】
また、本実施の形態の取付装置によれば、取付ねじの頭３１ａと取付面６０との間に管座３３を介在させて、上部固定部材１０Ａ，１０Ｂを取付面６０に取付けるようにしたことで、取付ねじ３１を強く締め過ぎて固定部材本体１１がスライドできなくなるといったことがなく、上部固定部材１０Ａ，１０Ｂのスライド動作を円滑なものとすることができる。
【００４４】
また、本実施の形態の取付装置によれば、上部固定部材１０Ａ，１０Ｂを、矩形状を成す表示板５０上端の左右の角部５１，５２に配設したことで、左右の角部５１，５２において、上縁部と側縁部の２辺が保持されるため、表示板５０が確実に固定され、安定させることができる。
【００４５】
また、本実施の形態の取付装置によれば、上部固定部材１０Ａ，１０Ｂの取付部１２に穿設した長孔１５を、角部５１，５２を構成する上辺から離れるにしたがって側辺から離れるように傾斜する方向に延在させたことで、長孔１５を他の方向に延在させた場合と比べて上部固定部材１０Ａ，１０Ｂのスライド距離が短くて済む。
【００４６】
また、本実施の形態の取付装置によれば、上部固定部材１０Ａ，１０Ｂを弾性体で構成し、上部固定部材１０Ａ，１０Ｂの溝部１３に表示板５０の角部５１，５２を嵌合させた場合に溝部１３に角部５１,５２を密着させるようにしたことで、上部固定部材１０Ａ，１０Ｂに表示板５０を保持させた場合にがたつきを防止することができるとともに、ガラス等の壊れやすい材質からなる表示板を取付ける場合に、表示板の緩衝材として機能するため、表示板を保護することができる。
【００４７】
なお、上述した実施の形態では、表示板５０の四つの角部に対応する位置に上部固定部材１０Ａ，１０Ｂ及び下部固定部材４０Ａ，４０Ｂを取付面に配設した構成としたが、これに限定されるものではない。例えば、図１０に示すように、下部固定部材４０Ａ，４０Ｂを表示板５０下端の角部５３，５４に対応する位置に配設する一方、上部固定部材１０Ｃを表示板５０の上端部中央部分に対応する位置に配設し、表示板５０の下端２箇所、上端中央１箇所を保持した状態で、表示板５０を取付面６０に取り付けることも可能である。図１０に示される上部固定部材１０Ｃは、表示板５０の１辺を嵌合保持するものであり、溝部２３及びフレーム部２４をＩ字形状とした点、及び、上段長孔部２５ａ、中段長孔部２５ｂ、下段長孔部２５ｃからなる長孔２５を、嵌合保持する辺に対して直交する方向に延在させた点以外は、上述した上部固定部材１０Ａと同様の構成を有するものである。
【００４８】
図１０に示す例では、表示板５０の上端部中央の上縁部５５に、上部固定部材１０Ｃの溝部２３を嵌合させることによって、上縁部５５が保持される。表示板５０を取付面６０から取り外す場合には、固定部材本体２１を上方にスライドさせることにより溝部２３から上縁部５５を抜去した後、上述した手順により取り外すことができる。
【００４９】
また、図１１に示すように、上部固定部材１０Ｃを表示板５０の両側辺に対応する位置にそれぞれ配設し、表示板５０上端の両側の側縁部５１ｂ，５２ｂを保持させる構成とすることも可能である。図１１に示す例において表示板５０を取付面６０から取り外す場合には、各固定部材本体２１を側外方にスライドさせることにより溝部２３から側縁部５１ｂ，５２ｂを抜去した後、上述した手順により取り外すことができる。さらに、図示は省略するが、上部固定部材１０Ｃを、図１１に示すように表示板５０の両側辺に対応する位置と、図１０に示すように表示板５０の上端中央部分に対応する位置にそれぞれ配設することで、表示板５０上端の３箇所を保持させる構成としてもよい。
【００５０】
また、上記実施の形態では、表示板を取付面に沿う態様で取付けたが、図１２−１に示すように、表示板を取付面から突出させる態様で取付けることも可能である。なお、図１２−１では取付面の図示を省略している。表示板７０は、取付面に固定される基部７０ａと、掲示内容を表示する表示部７０ｂとから構成される断面Ｔ字型を成すものである。この表示板７０を突出設置する場合には、上記実施の形態で適用した上部固定部材１０Ａ，１０Ｂ及び下部固定部材４０Ａ，４０Ｂを取付面上にそれぞれ突き合わせて配設し、表示板７０の基部７０ａにおける上端の左右角部を上部固定部材１０Ａ，１０Ｂによって保持させるとともに、下端の左右角部を下部固定部材４０Ａ，４０Ｂによって保持させることにより、基部７０ａを取付面に取付ける。表示板７０を取り外す場合には、図１２−２に示すように、保持位置にある上部固定部材１０Ａ，１０Ｂを、それぞれ斜め上外方に向けて非保持位置までスライドさせ、上部固定部材１０Ａ，１０Ｂの溝部１３と基部７０ａの上縁部及び側縁部との嵌合を解除した後、基部７０ａの上部をわずかに前傾させ、表示板７０を引き上げて下部固定部材４０Ａ，４０Ｂから基部７０ａ下端の左右角部を抜き去ることにより、表示板７０を取付面から取り外すことができる。
【００５１】
なお、上記実施の形態では、表示板５０として、所定の厚みを有する１枚のパネルを適用したが、他の構成を有するパネルを適用することもできる。例えば、表示板を一対のパネルで構成し、少なくとも前方のパネルとしてガラスやアクリル板等の透過性を有する材質からなるものを適用し、前後のパネルの間に紙状の掲示物を挟むことによって、紙状の掲示物を表示することも可能である。上記構成とすることにより、表示板の形態に捕らわれることなく、表示の自由度を高めることができる。
【００５２】
また、上記実施の形態では、固定部材本体１１を正方形状に形成したが、他の形状としてもよい。例えば、上部固定部材Ａにおける上縁嵌合溝１３ａ及び側縁嵌合溝１３ｂの長さを異ならせてもよい。また、上部固定部材Ｃにおける溝部２３を曲線状に形成することにより、円形等、矩形以外の形状を有する表示板を取付けることもできる。
【００５３】
また、上記実施の形態では、下部固定部材４０Ａ，４０Ｂを取付面６０に対して固定した構成としたが、上部固定部材１０Ａ，１０Ｂと同様に、長孔４５の下段孔４５ｃを長孔とすることにより、取付面６０に対してスライド可能に配設するように構成してもよい。
【図面の簡単な説明】
【００５４】
【図１】本実施の形態である表示板の取付装置を適用して表示板を取付面に取り付けた一例を正面から見た図である。
【図２】上部固定部材の分解斜視図である。
【図３−１】上部固定部材を構成する固定部材本体の正面図である。
【図３−２】上部固定部材を構成する固定部材本体の側面図である。
【図４−１】上部固定部材を取付面に取付けた状態を示す正面図である。
【図４−２】図４−１のＡ−Ａ断面図である。
【図５−１】上部固定部材に表示板の角部を保持させる状態を説明するための図である。
【図５−２】上部固定部材に表示板の角部を保持させる状態を説明するための図である。
【図６−１】図５−１の断面図である。
【図６−２】図５−２の断面図である。
【図７−１】下部固定部材を構成する固定部材本体の正面図である。
【図７−２】下部固定部材を構成する固定部材本体の側面図である。
【図８−１】下部固定部材を取付面に取付けた状態を示す正面図である。
【図８−２】図８−１のＡ−Ａ断面図である。
【図９】図１に示した状態から表示板を取り外す手順を説明するための図である。
【図１０】本実施の形態である表示板の取付装置を適用して表示板を取付面に取り付けた一例を正面から見た図である。
【図１１】本実施の形態である表示板の取付装置を適用して表示板を取付面に取り付けた一例を正面から見た図である。
【図１２−１】本実施の形態である表示板の取付装置を適用して表示板を取付面に取り付けた一例の斜視図である。
【図１２−２】図１２−１に示した状態から表示板を取り外す手順を説明するための図である。
【符号の説明】
【００５５】
１０Ａ，１０Ｂ，１０Ｃ  上部固定部材
１１，２１，４１    固定部材本体
１２，２２，４２    取付部
１３，２３，４３    溝部
１３ａ    上縁嵌合溝
１３ｂ，４３ｂ  側縁嵌合溝
１４，２４，４４    フレーム部
１５，２５，４５    長孔
１５ａ，２５ａ，４５ａ  上段長孔部
１５ｂ，２５ｂ，２５ｂ  中段長孔部
１５ｃ，２５ｃ  下段長孔部
１６    第１端部
１７    第２端部
１８    スライド部
３１    取付ねじ
３１ａ  取付ねじの頭
３１ｂ  取付ねじの軸部
３２    ワッシャー
３３    管座
３４    ワッシャー
３５    蓋部
４３ａ  下縁嵌合溝
５０    表示板
５０ａ  表示板の上辺
５０ｂ  表示板の側辺
５１，５２，５３，５４  角部
５１ａ，５２ａ    上縁部
５３ａ，５４ａ    下縁部
５１ｂ，５２ｂ，５３ｂ，５４ｂ  側縁部
６０    取付面
７０    表示板
７０ａ  基部
７０ｂ  表示部
【図１】
2009080322.tif 000003
【図２】
2009080322.tif 000004
【図３−１】
2009080322.tif 000005
【図３−２】
2009080322.tif 000006
【図４−１】
2009080322.tif 000007
【図４−２】
2009080322.tif 000008
【図５−１】
2009080322.tif 000009
【図５−２】
2009080322.tif 000010
【図６−１】
2009080322.tif 000011
【図６−２】
2009080322.tif 000012
【図７−１】
2009080322.tif 000013
【図７−２】
2009080322.tif 000014
【図８−１】
2009080322.tif 000015
【図８−２】
2009080322.tif 000016
【図９】
2009080322.tif 000017
【図１０】
2009080322.tif 000018
【図１１】
2009080322.tif 000019
【図１２−１】
2009080322.tif 000020
【図１２−２】
2009080322.tif 000021